(57)【要約】【課題】効率的な破砕能力を有し、紙おむつの廃棄処理に好適な有機性廃棄物処理装置を提供する。【解決手段】この有機性廃棄物処理装置１は、有機性廃棄物を破砕混合する破砕混合槽１０を備えるものにおいて、破砕混合槽１０は、下方の断面が円弧状をなす底面部１１を有した箱体であって、底面部１１の内壁に配設された複数の固定刃と、底面部１１の円弧の中心に軸線が位置するよう回転可能に配設された回転軸１３と、回転軸１３に配設され、複数の固定刃と協動して有機廃棄物を破砕する攪拌パドル１４と、を備え、撹拌パドル１４は、固定刃の先端に対向するように第１の水平羽根部１６を側部１５の外側に有する。【選択図】図２
2008302271.tif 000002
【特許請求の範囲】
【請求項１】
有機性廃棄物を破砕混合する破砕混合槽を備える有機性廃棄物処理装置において、
前記破砕混合槽は、下方の断面が円弧状をなす底面部を有した箱体であって、底面部の内壁に配設された複数の固定刃と、底面部の円弧の中心に軸線が位置するよう回転可能に配設された回転軸と、回転軸に配設され、複数の固定刃と協動して有機廃棄物を破砕する攪拌パドルと、を備え、
該撹拌パドルは、固定刃の先端に対向するように第１の水平羽根部を側部外側に有することを特徴とする有機性廃棄物処理装置。
【請求項２】
請求項１に記載の有機性廃棄物処理装置において、
前記撹拌パドルは、ノコギリ刃形状の第２の水平羽根部を側部内側の先端部に有することを特徴とする有機性廃棄物処理装置。
【発明の詳細な説明】
【技術分野】
【０００１】
本発明は、有機性廃棄物処理装置に関し、特に、使用済みの紙おむつの廃棄処理に好適なものに関する。
【背景技術】
【０００２】
一般に、使用済みの紙おむつなどの有機性廃棄物を処理する装置は、これまでに、種々のものが実用化されたり提案されたりしている。本願発明者が発明者として含まれる特許文献１には、有機性廃棄物の発酵処理装置において、発酵分解処理を短時間に大量に行うため、破砕混合槽の内側に複数の固定刃を配設し、回転軸に配設された撹拌パドルと協働して有機性廃棄物を効率的に破砕するものが記載されている。
【０００３】
【特許文献１】特開２００４−５７９４６号公報
【発明の開示】
【発明が解決しようとする課題】
【０００４】
しかし、紙おむつは、撹拌し破砕するものとしては体積や物理的強度が大きく、かつ、様々な材料から構成されている。特許文献１に記載のものは紙おむつの効率的な破砕において必ずしも十分でなく、より効率的な破砕能力が望まれていた。
【０００５】
本発明は、係る事由に鑑みてなされたものであり、その目的は、より効率的な破砕能力を有し、紙おむつの廃棄処理に好適な有機性廃棄物処理装置を提供することにある。
【課題を解決するための手段】
【０００６】
上記目的を達成するために、請求項１に記載の有機性廃棄物処理装置は、有機性廃棄物を破砕混合する破砕混合槽を備える有機性廃棄物処理装置において、前記破砕混合槽は、下方の断面が円弧状をなす底面部を有した箱体であって、底面部の内壁に配設された複数の固定刃と、底面部の円弧の中心に軸線が位置するよう回転可能に配設された回転軸と、回転軸に配設され、複数の固定刃と協動して有機廃棄物を破砕する攪拌パドルと、を備え、該撹拌パドルは、固定刃の先端に対向するように第１の水平羽根部を側部外側に有することを特徴とする。
【０００７】
請求項２に記載の有機性廃棄物処理装置は、請求項１に記載の有機性廃棄物処理装置において、前記撹拌パドルは、ノコギリ刃形状の第２の水平羽根部を側部内側の先端部に有することを特徴とする。
【発明の効果】
【０００８】
本発明の有機性廃棄物処理装置によれば、第１の水平羽根部又は第２の水平羽根部を有することで、複数の固定刃と協動して有機廃棄物を効率的に細かく破砕することができる。
【発明を実施するための最良の形態】
【０００９】
以下、本発明を実施するための最良の形態を図面を参照しながら説明する。図１は本発明の実施形態に係る有機性廃棄物処理装置１の概略構成図である。有機性廃棄物処理装置１は、投入された使用済みの紙おむつなどの有機性廃棄物（以下、処理物と呼ぶ。）を破砕混合する破砕混合槽１０を備えている。この破砕混合槽１０は、微生物による処理物の発酵分解処理も同時に行う。また、有機性廃棄物処理装置１は、外気を取り込む給気ブロワ４２と、破砕混合槽１０に熱風を供給する熱風発生機４３と、破砕混合槽１０の不要な気体（発酵分解処理で発生したガスや蒸気など）を排気する排気ブロワ４４と、不要な気体を触媒により脱臭処理したり高温滅菌したりして排気ガスとして大気中に排出する脱臭機４５と、破砕混合槽１０の後述の回転軸１３を回転させるモータ４６と、を備えている。
【００１０】
図２、図３は破砕混合槽１０（及びその周辺）を示すものであって、それぞれ、正面視の断面図、側面視の断面図である。破砕混合槽１０は、下方の断面が円弧状をなす底面部１１を有した箱体である。破砕混合槽１０は、箱体の上面のいずれかの箇所に処理物が投入される投入口（図示せず）を有している。箱体の内部空間が攪拌や発酵分解のための空間となる。そして、処理物を破砕するために底面部１１の内壁に配設された複数の固定刃１２、１２、・・・と、底面部１１の円弧の中心に軸線が位置するよう回転可能に配設された回転軸１３と、回転軸１３に配設され、複数の固定刃１２、１２、・・・と協動して処理物を破砕する攪拌パドル１４、１４、・・・と、を備えている。撹拌パドル１４、１４、・・・の各々は、両方の側部１５、１５が回転軸１３に対して垂直に立設され、固定刃１２、１２の先端に対向するように第１の水平羽根部１６、１６を両方の側部１５，１５の外側に有し、また、ノコギリ刃形状の第２の水平羽根部１７を先端部に両方の側部１５、１５の内側を渡すように有する。なお、固定刃１２、１２、・・・は、底面部１１の最下点と回転軸１３の中心とを結ぶ線の左右３０〜６０°の範囲に配設されている。
【００１１】
図２に示す本実施形態では、具体的には、攪拌パドル１４、１４、・・・は４個有り、回転軸１３にその軸線方向に並設されるとともに、それぞれが回転方向に所定角度（ほぼ９０°）ずつずれて配設されている。なお、攪拌パドル１４は、溶接などによって各部から成る全体を一体に構成しても、ボルト・ナットなどの締結具によって各部を互いに固定して構成してもよい。
【００１２】
第１の水平羽根部１６は、撹拌パドル１４の側部１５からほぼ垂直になるように外側に設けられる。回転軸１３の回転に従って、図４の部分断面図に示すように、第１の水平羽根部１６の底面部１１側に固定刃１２が通るようになるが、このとき、処理物が第１の水平羽根部１６と固定刃１２の間に挟まれることになる。なお、第１の水平羽根部１６と固定刃１２との間の距離は、処理物が適度に挟まれて引きちぎられる程度（例えば５ｍｍ）としている。
【００１３】
第２の水平羽根部１７は底面部１１の内壁に向かってＶ字型のノコギリ刃形状となっており山部と谷部が交互に設けられ、例えば、４箇所の山部と３箇所の谷部が設けられる。なお、第２の水平羽根部１７の山部と底面部１１の内壁の距離は、処理物が第２の水平羽根部１７と底面部１１の間に挟まらず、サイドに逃れ易い程度（例えば１０ｍｍ）としている。なお、処理物が回転軸１３の軸方向にも移動させるために、第２の水平羽根部１７を回転軸１３の軸方向に対して角度を設けて側部１５、１５の内側に取り付けることも可能である。
【００１４】
処理物は、第２の水平羽根部１７のノコギリ刃形状の山部により表面を傷付けられる。また、処理物は、第１の水平羽根部１６と固定刃１２に挟み込まれ、第１の水平羽根部１６又は固定刃１２に引っ掛けられて引きちぎられる。これら傷付けと引きちぎりの破砕工程が撹拌されながら繰り返される。より具体的には、第２の水平羽根部１７のノコギリ刃形状の山部は、例えば、使用済みの尿取りパッドに効果的に作用する。すなわち、内側の吸水ポリマーなどが容易に取り出されるようにポリプロピレンなどの外面材に傷を付ける。また、第１の水平羽根部１６は、例えば、使用済みのパンツに効果的に作用する。すなわち、相対的に外面が強靱なパンツは、そのままではノコギリ刃形状の山部によって容易には傷付かないので、第１の水平羽根部１６と固定刃１２による引きちぎりが効果的である。
【００１５】
次に、有機性廃棄物処理装置１の全体の処理フローを説明する。処理物が投入口（図示せず）から破砕混合槽１０に投入される。収納したごみ袋ごと投入される場合もある。また、同時に、発酵剤が投入口から添加される。発酵剤としては、人糞、尿及び吸水ポリマーに含まれる澱粉質、蛋白質、脂質、臭気物質（スカトール、インドール、アンモニア）などを分解し得る酵母菌や乳酸菌などを使用する。
【００１６】
投入された処理物はごみ袋と共に、回転軸１３に配設された撹拌パドル１４、１４、・・・により撹拌され、第１の水平羽根部１６、１６、・・・、固定刃１２、１２、・・・、第２の水平羽根部１７、１７、・・・により効率的に細かく破砕される。紙おむつのように体積や強度が大きく、また、様々な材料から構成されていても、上記のようにして効率的に細かく破砕されながら撹拌される。また、給気ブロワ４２及び熱風発生機４３によって外気を約７０℃〜９０℃に加熱した熱風が破砕混合槽１０に送られる。処理物は、熱風で加熱されて発酵分解が進行されるとともに水分が蒸発し乾燥が並行して行われる。また、処理物が撹拌かつ破砕されることにより、処理物の温度分布が均一になり、また、空気に均一に触れるようになって発酵分解が促進され、乾燥が促進される。
【００１７】
破砕混合槽１０において発生したガス（例えば硫化水素やアンモニアなど）や蒸気は、排気ブロワ４４を介して脱臭手段４５に送られ、脱臭処理や高温滅菌されて大気中に排出される。
【００１８】
以上の破砕混合及び発酵分解処理を約１８時間行った後、約１８０℃の熱風を約３０分間処理物に当て、滅菌処理を行った後に処理物を排出する。このようにして処理された処理物は、燃料等にリサイクルされ得る。
【００１９】
以上、本発明の実施形態に係る有機性廃棄物処理装置について説明したが、本発明は、実施形態に記載したものに限られることなく、特許請求の範囲に記載した事項の範囲内でのさまざまな設計変更が可能である。例えば、発酵剤を添加せず、破砕混合槽１０を処理物の破砕混合のみに用いることもできる。また、実施形態に記載した以外の部材を付加できるのは勿論である。
【図面の簡単な説明】
【００２０】
【図１】本発明の望ましい実施形態に係る有機性廃棄物処理装置の概略構成図である。
【図２】同上の有機性廃棄物処理装置の破砕混合槽を示す正面視の断面図である。
【図３】同上の有機性廃棄物処理装置の破砕混合槽を示す側面視の断面図である。
【図４】同上の有機性廃棄物処理装置の破砕混合槽を説明するための部分断面図である。
【符号の説明】
【００２１】
１  有機性廃棄物処理装置
１０  破砕混合槽
１１  破砕混合槽の底面部
１２  固定刃
１３  破砕混合槽の回転軸
１４  破砕混合槽の撹拌パドル
１５  破砕混合槽の撹拌パドルの側部
１６  破砕混合槽の撹拌パドルの第１の水平羽根部
１７  破砕混合槽の撹拌パドルの第２の水平羽根部
【図１】
2008302271.tif 000003
【図２】
2008302271.tif 000004
【図３】
2008302271.tif 000005
【図４】
2008302271.tif 000006
【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
紙おむつを破砕混合する破砕混合槽を備える紙おむつ処理装置において、
前記破砕混合槽は、下方の断面が円弧状をなす底面部を有した箱体であって、
底面部の内壁に配設された複数の固定刃と、
底面部の円弧の中心に軸線が位置するよう回転可能に配設された回転軸と、
回転軸に配設され、複数の固定刃と協動して紙おむつを破砕する攪拌パドルと、を備え、
該撹拌パドルは、両方の側部外側に固定刃の先端に対向するように第１の水平羽根部を有し、側部内側に底面部の内壁に対向するようにノコギリ刃形状の第２の水平羽根部を有することを特徴とする紙おむつ処理装置。
【手続補正３】
【補正対象書類名】明細書
【補正対象項目名】０００６
【補正方法】変更
【補正の内容】
【０００６】
上記目的を達成するために、請求項１に記載の紙おむつ処理装置は、紙おむつを破砕混合する破砕混合槽を備える紙おむつ処理装置において、前記破砕混合槽は、下方の断面が円弧状をなす底面部を有した箱体であって、底面部の内壁に配設された複数の固定刃と、底面部の円弧の中心に軸線が位置するよう回転可能に配設された回転軸と、回転軸に配設され、複数の固定刃と協動して紙おむつを破砕する攪拌パドルと、を備える。
【手続補正４】
【補正対象書類名】明細書
【補正対象項目名】０００７
【補正方法】変更
【補正の内容】
【０００７】
更に、請求項１に記載の紙おむつ処理装置は、該撹拌パドルが、両方の側部外側に固定刃の先端に対向するように第１の水平羽根部を有し、側部内側に底面部の内壁に対向するようにノコギリ刃形状の第２の水平羽根部を有する。